(57)【要約】【課題】上下の螺旋案内板付き短管における上下の螺旋案内板を隙間及び段差を発生させることなく連続する螺旋面を形成して上下の螺旋案内板付き短管を接続する。【解決手段】短管本体内周面に螺旋案内板が一体に形成された螺旋案内板付き短管が上下に複数本接続されて螺旋案内板付き縦管を構成する短管の接続構造において、下方の螺旋案内板付き短管４の螺旋案内板４３の上端及び該下方の螺旋案内板４３の上端に対応する、上方の螺旋案内板付き短管３の螺旋案内板３３の下端がそれぞれ螺旋面に対して同一角度の傾斜面４３１，３３１に切断されるとともに、下方の螺旋案内板４３上端の上方に面する傾斜面４３１に上方の螺旋案内板３３下端の下方に面する傾斜面３３１が突き合わされている。【選択図】図２
2014145227.tif 000002
【特許請求の範囲】
【請求項１】
短管本体内周面に螺旋案内板が一体に形成された螺旋案内板付き短管が上下に複数本接続されて螺旋案内板付き縦管を構成する短管の接続構造において、下方の螺旋案内板付き短管の螺旋案内板上端及び該下方の螺旋案内板上端に対応する、上方の螺旋案内板付き短管の螺旋案内板下端がそれぞれ螺旋面に対して同一角度の傾斜面に切断されるとともに、下方の螺旋案内板上端の上方に面する傾斜面に上方の螺旋案内板下端の下方に面する傾斜面が突き合わされていることを特徴とする螺旋案内板付き短管の接続構造。
【請求項２】
短管本体内周面に螺旋案内板が一体に形成された下方の螺旋案内板付き短管に、短管本体内周面に螺旋案内板が一体に形成された上方の螺旋案内板付き短管を順に接続して螺旋案内板付き縦管を構成する短管の接続方法において、下方の螺旋案内板付き短管の螺旋案内板上端及び該下方の螺旋案内板上端に対応する、上方の螺旋案内板付き短管の螺旋案内板下端をそれぞれ螺旋面に対して同一角度の傾斜面に切断するとともに、下方の螺旋案内板上端の上方に面する傾斜面に対して上方の螺旋案内板下端の下方に面する傾斜面が設定された重なり代を確保して下方の螺旋案内板付き短管に向けて上方の螺旋案内板付き短管を落とし込み、下方の螺旋案内板上端の傾斜面に沿って上方の螺旋案内板下端の傾斜面を滑落させ、下方の螺旋案内板付き短管に対して上方の螺旋案内板付き短管をその軸心回りに回転させながら配置することを特徴とする螺旋案内板付き短管の接続方法。
【発明の詳細な説明】
【技術分野】
【０００１】
この発明は、螺旋案内板付き短管の接続構造及びその接続方法に関するものである。
【背景技術】
【０００２】
従来より、マンホール内を直線状に自然流下する下水によって内部が損傷するのを防止するため、マンホール内に螺旋案内板付き縦管を設置することが提案され、実施されている（例えば、特許文献１参照）
この螺旋案内板付き縦管は、設定された内径の直管状の縦管本体と、縦管本体の内周面に設けられて下水を螺旋状に案内する螺旋案内板とから構成されており、縦管本体の上端部に形成された流入口を通して導入された下水を螺旋案内板に沿って螺旋状に流下させることによってエネルギーを減衰させ、エネルギーが減衰した下水を縦管本体の下端部に形成された流出口から流出させるものである。
【０００３】
このような螺旋案内板付き縦管を設置するに際して、現場の状況等により長尺物を取り扱うことができない場合や重量に制限がある場合、さらには、螺旋案内板付き縦管が製造される基準長さを超えるときには、螺旋案内板付き縦管を一体物のままでマンホール内に搬入することができない。このため、螺旋案内板付き縦管を分割構造とし、現場にて接続する必要がある。すなわち、短管本体内周面に螺旋案内板を一体に形成した螺旋案内板付き短管を複数本用意し、下方の螺旋案内板付き短管に上方の螺旋案内板付き短管を順に接続することにより、設定長さの螺旋案内板付き縦管を形成するようにしている。
【先行技術文献】
【特許文献】
【０００４】
【特許文献１】特開平８−４１９１５号公報
【発明の概要】
【発明が解決しようとする課題】
【０００５】
ところで、下方の螺旋案内板付き短管に上方の螺旋案内板付き短管を接続する場合、下方の螺旋案内板の上端に上方の螺旋案内板の下端をそれらの螺旋案内板が連続する螺旋面を形成するように接続する必要がある。しかしながら、これまで上下の螺旋案内板の上端及び下端をそれぞれ管軸に平行な鉛直線を含む鉛直面に切断していた関係上、切断に際して誤差が発生すると、上方の螺旋案内板付き短管の落とし込みに際して、上下の螺旋案内板が干渉して破損するおそれがある。このため、仮に切断に際して誤差が発生したとしても、上下の螺旋案内板が干渉しないように、下方の螺旋案内板の上端及び上方の螺旋案内板の下端が連続する螺旋面の延長線上で間隔をおいて対向するように鉛直面に切断するとともに、下方の螺旋案内板の上端及び上方の螺旋案内板の下端が間隔をおいて対向するように、下方の螺旋案内板付き短管に上方の螺旋案内板付き短管を落とし込んで配置した後、下方の螺旋案内板の上端と上方の螺旋案内板の下端との間の隙間に充填材を充填し、さらに、充填材の上下にＦＲＰを上下の螺旋案内板にわたって積層することにより、上下の螺旋案内板の接続部分から下水が漏出するのを防止するようにしている。
【０００６】
この結果、作業が複雑になって多くの時間を必要とするばかりでなく、下方の螺旋案内板と上方の螺旋案内板との間にＦＲＰ積層による段差が発生するため、円滑な下水の流下及びその掃流性を妨げるものとなっていた。
【０００７】
本発明は、このような問題点に鑑みてなされたもので、上下の螺旋案内板付き短管における上下の螺旋案内板の接続部分からの下水の漏出を可及的に防止でき、また、下水を円滑に流下させるとともに、その掃流性を確保することのできる螺旋案内板付き短管の接続構造を提供するとともに、上下の螺旋案内板付き短管における上下の螺旋案内板を隙間及び段差を発生させることなく連続する螺旋面を形成して上下の螺旋案内板付き短管を接続することのできる螺旋案内板付き短管の接続方法を提供するものである。
【課題を解決するための手段】
【０００８】
本発明の螺旋案内板付き短管の接続構造は、短管本体内周面に螺旋案内板が一体に形成された螺旋案内板付き短管が上下に複数本接続されて螺旋案内板付き縦管を構成する短管の接続構造において、下方の螺旋案内板付き短管の螺旋案内板上端及び該下方の螺旋案内板上端に対応する、上方の螺旋案内板付き短管の螺旋案内板下端がそれぞれ螺旋面に対して同一角度の傾斜面に切断されるとともに、下方の螺旋案内板上端の上方に面する傾斜面に上方の螺旋案内板下端の下方に面する傾斜面が突き合わされていることを特徴とするものである。
【０００９】
本発明によれば、下方の螺旋案内板付き短管における螺旋案内板の上端が螺旋面に対して設定角度の上方に面する傾斜面に切断されるとともに、該下方の螺旋案内板上端に対応する、上方の螺旋案内板付き短管における螺旋案内板の下端が下方の螺旋案内板上端の傾斜面と同一角度の下方に面する傾斜面に切断される。そして、下方の螺旋案内板上端の上方に面する傾斜面に上方の螺旋案内板下端の下方に面する傾斜面が突き合わされて、下方の螺旋案内板付き短管に上方の螺旋案内板付き短管が配置されている。
【００１０】
これにより、下方の螺旋案内板付き短管の螺旋案内板と上方の螺旋案内板付き短管の螺旋案内板とが隙間及び段差を発生させることなく連続する螺旋面を形成して下方の螺旋案内板付き短管に上方の螺旋案内板付き短管が接続される。
【００１１】
この結果、上下の螺旋案内板の接続部分からの下水の漏出を可及的に防止でき、また、下水を円滑に流下させるとともに、その掃流性を確保することができる。
【００１２】
本発明の螺旋案内板付き短管の接続方法は、短管本体内周面に螺旋案内板が一体に形成された下方の螺旋案内板付き短管に、短管本体内周面に螺旋案内板が一体に形成された上方の螺旋案内板付き短管を順に接続して螺旋案内板付き縦管を構成する短管の接続方法において、下方の螺旋案内板付き短管の螺旋案内板上端及び該下方の螺旋案内板上端に対応する、上方の螺旋案内板付き短管の螺旋案内板下端をそれぞれ螺旋面に対して同一角度の傾斜面に切断するとともに、下方の螺旋案内板上端の上方に面する傾斜面に対して上方の螺旋案内板下端の下方に面する傾斜面が設定された重なり代を確保して下方の螺旋案内板付き短管に向けて上方の螺旋案内板付き短管を落とし込み、下方の螺旋案内板上端の傾斜面に沿って上方の螺旋案内板下端の傾斜面を滑落させ、下方の螺旋案内板付き短管に対して上方の螺旋案内板付き短管をその軸心回りに回転させながら配置することを特徴とするものである。
【００１３】
本発明によれば、下方の螺旋案内板付き短管における螺旋案内板の上端を螺旋面に対して設定角度の上方に面する傾斜面に切断するとともに、該下方の螺旋案内板上端に対応する、上方の螺旋案内板付き短管における螺旋案内板の下端を下方の螺旋案内板上端の傾斜面と同一角度の下方に面する傾斜面に切断する。次いで、下方の螺旋案内板上端の上方に面する傾斜面に対して上方の螺旋案内板下端の下方に面する傾斜面が設定された重なり代を確保して下方の螺旋案内板付き短管に向けて上方の螺旋案内板付き短管を落とし込む。この際、下方の螺旋案内板付き短管の螺旋案内板上端の傾斜面に上方の螺旋案内板付き短管の螺旋案内板下端の傾斜面が面接触し、その傾斜面に沿って滑落することにより、下方の螺旋案内板付き短管に対して上方の螺旋案内板付き短管がその軸心回りに回転しつつ配置される。
【００１４】
この結果、下方の螺旋案内板付き短管の螺旋案内板上端及び上方の螺旋案内板付き短管の螺旋案内板下端をそれぞれ螺旋面に対して設定された同一角度の傾斜面に切断した後、下方の螺旋案内板上端の上方に面する傾斜面に対して上方の螺旋案内板下端の下方に面する傾斜面が設定された重なり代を確保して下方の螺旋案内板付き短管に向けて上方の螺旋案内板付き短管を落とし込むといった簡単な作業によって、下方の螺旋案内板付き短管の螺旋案内板と上方の螺旋案内板付き短管の螺旋案内板とが隙間及び段差を発生させることなく連続する螺旋面を形成して下方の螺旋案内板付き短管に上方の螺旋案内板付き短管を配置し、接続することができる。
【００１５】
ここで、上下の螺旋案内板の傾斜面としては、例えば、螺旋面に対して垂直な傾斜面を挙げることができる。
【発明の効果】
【００１６】
本発明の螺旋案内板付き短管の接続構造によれば、上下の螺旋案内板付き短管における上下の螺旋案内板の接続部分からの下水の漏出を可及的に防止でき、また、下水を円滑に流下させるとともに、その掃流性を確保することができる。
【００１７】
また、本発明の螺旋案内板付き短管の接続方法によれば、下方の螺旋案内板付き短管の螺旋案内板及び上方の螺旋案内板付き短管の螺旋案内板の間に隙間及び段差を発生させることなく連続する螺旋面を形成して上下の螺旋案内板付き短管を接続することができる。
【図面の簡単な説明】
【００１８】
【図１】本発明の螺旋案内板付き短管の接続構造を有する螺旋案内板付き縦管を模式的に示す縦断面図である。
【図２】図１のＡ−Ａ線断面図及びその螺旋案内板の接続部分Ｂを模式的に示す拡大正面図である。
【図３】本発明の螺旋案内板付き短管の接続方法における螺旋案内板の接続要領を模式的に示す正面図である。
【発明を実施するための形態】
【００１９】
以下、本発明の実施の形態を図面に基づいて説明する。
【００２０】
まず、螺旋案内板付き縦管１は、図１に示すように、最上部の短管２と、最下部の螺旋案内板付き短管５と、これらの中間部に配置される中間上方の螺旋案内板付き短管３及び中間下方の螺旋案内板付き短管４とから構成され、これらの短管２乃至５を設置するマンホールに輸送し、マンホール内において、順に相互に接続して組み立てる構造となっている。
【００２１】
ここで、中間上方の螺旋案内板付き短管３及び中間下方の螺旋案内板付き短管４が、後述するように、本発明の接続構造及び接続方法を用いて接続されている。
【００２２】
最上部の短管２は、短管本体２１及び該短管本体２１の中心軸に沿って延びる空気抜き用芯筒２２からなり、短管本体２１の上端部に形成された流入口には下水導入管６が接続され、この下水導入管６を通して下水を導入することができる。
【００２３】
中間上方の螺旋案内板付き短管３は、短管本体３１、該短管本体３１の中心軸に沿って延びる芯筒３２及び短管本体３１と芯筒３２との間に設けられた螺旋案内板３３によって形成されている。
【００２４】
同様に、中間下方の螺旋案内板付き短管４は、短管本体４１、該短管本体４１の中心軸に沿って延びる芯筒４２及び短管本体４１と芯筒４２との間に設けられた螺旋案内板４３によって形成されている。
【００２５】
最下部の螺旋案内板付き短管５は、短管本体５１及び該短管本体５１の内周面に沿って形成された螺旋案内板５３からなり、短管本体５１の下端部に形成された流出口には下水導出管７が接続され、この下水導出管７を通して下水を排水することができる。
【００２６】
なお、中間上方の螺旋案内板付き短管３、中間下方の螺旋案内板付き短管４及び最下部の螺旋案内板付き短管５は、詳細には図示しないが、短管本体３１，４１，５１の各上端部に該短管本体３１，４１，５１の外径を内径とする接続継手が設けられており、下方側の螺旋案内板付き短管３，４，５の接続継手に沿って上方側の短管２の短管本体２１、螺旋案内板付き短管３，４の短管本体３１，４１の下端部が嵌挿され、下方側の短管本体３１，４１，５１の上端部に上方側の短管本体２１，３１，４１の下端部が接続されている。
【００２７】
ところで、中間下方の螺旋案内板付き短管４における螺旋案内板４３の上端及び該下方の螺旋案内板４３の上端に対応する、中間上方の螺旋案内板付き短管３における螺旋案内板３３の下端は、図２に示すように、それぞれ螺旋面に対して設定された同一角度の傾斜面４３１，３３１に切断され、中間下方の螺旋案内板付き短管４における螺旋案内板４３上端の傾斜面４３１に中間上方の螺旋案内板付き短管３における螺旋案内板３３下端の傾斜面３３１が隙間及び段差を発生させることなく突き合わされて、下方の螺旋案内板４３と上方の螺旋案内板３３とが連続する螺旋面を形成している。
【００２８】
すなわち、下方の螺旋案内板付き短管４における螺旋案内板４３の上端は、設定角度の上方に面する傾斜面４３１に形成され、上方の螺旋案内板付き短管３における螺旋案内板３３の下端は、設定角度の下方に面する傾斜面３３１に形成され、下方の螺旋案内板付き短管４の螺旋案内板４３上端の傾斜面４３１に、上方の螺旋案内板付き短管３の螺旋案内板３３下端の傾斜面３３１が全面にわたって面接触されている。
【００２９】
これにより、下方の螺旋案内板付き短管４の螺旋案内板４３と上方の螺旋案内板付き短管３の螺旋案内板３３との接続部分に隙間及び段差が発生せず、下水を円滑に流下させてその掃流性を確保することができる。
【００３０】
このように構成された中間下方の螺旋案内板付き短管４に対して中間上方の螺旋案内板付き短管３を接続するには、下方の螺旋案内板付き短管４における螺旋案内板４３の上端を螺旋面に対して設定角度の上方に面する傾斜面４３１に切断するとともに、該下方の螺旋案内板４３の上端に対応する、上方の螺旋案内板付き短管３における螺旋案内板３３の下端を下方の螺旋案内板４３上端の傾斜面４３１と同一角度の下方に面する傾斜面３３１に切断した後、下方の螺旋案内板付き短管４に対して上方の螺旋案内板付き短管３を落とし込む。この際、上方の螺旋案内板付き短管３における螺旋案内板３３下端の傾斜面３３１が、下方の螺旋案内板付き短管４における螺旋案内板４３上端の傾斜面４３１に対して設定された重なり代を確保するように位置決めして落とし込む。具体的には、下方の螺旋案内板４３上端の上方に面する傾斜面４３１上に、上方の螺旋案内板３３下端の下方に面する傾斜面３３１の裏面側先端が対向するように位置決めして落とし込む（図３（ａ）参照）。
【００３１】
これにより、下方の螺旋案内板付き短管４における螺旋案内板４３上端の傾斜面４３１に対して上方の螺旋案内板付き短管３における螺旋案内板３３下端の傾斜面３３１が面接触し、その傾斜面４３１に沿って滑落する（図３（ｂ）参照）。すなわち、上方の螺旋案内板付き短管３は、下方の螺旋案内板付き短管４に対してその回転軸回りに回転しつつ下降し、下方の螺旋案内板付き短管４に配置され、接続される。
【００３２】
この結果、図２に示すように、下方の螺旋案内板付き短管４の螺旋案内板４３及び上方の螺旋案内板付き短管３の螺旋案内板３３が連続する螺旋面を形成するように、かつ、下方の螺旋案内板４３と上方の螺旋案内板３３との間に隙間及び段差を発生させることなく下方の螺旋案内板付き短管４に上方の螺旋案内板付き短管３を配置し、接続することができる。
【００３３】
したがって、下方の螺旋案内板４３と上方の螺旋案内板３３との間に積極的に隙間を発生させ、それらの隙間に充填材を充填してその表裏面にＦＲＰを積層する従来の接続方法に比較して、接続作業を簡単かつ短時間に行なうことができるとともに、上下の螺旋案内板４３，３３を連続する螺旋面に形成しつつそれらの接続部分に隙間及び段差を発生させることがないため、下水を円滑に流下させてその掃流性を確保することができる。
【００３４】
ここで、各傾斜面４３１，３３１としては、例えば、螺旋案内板４３，３３の螺旋面に対して垂直な傾斜面を挙げることができる。この場合は、切断長さが最小となり、切断精度が向上するとともに、作業時間も短縮されるが、傾斜面４３１，３３１の水平面に対する投影長が小さくなり、下方の螺旋案内板付き短管４に対して上方の螺旋案内板付き短管３を接続するに際して、それらの螺旋案内板４３，３３の傾斜面４３１，３３１をそれらの小さな重なり代の範囲で精度よく落とし込む必要があり、施工性は低下する。一方、傾斜面４３１，３３１として、各傾斜面にそれぞれ直交する垂線が鉛直方向に向かうように、より鋭角的な角度の傾斜面とすることもできる。この場合は、切断長さが大きくなり、切断作業に要する時間が増大するとともに、切断精度が低下するものの、傾斜面４３１，３３１の水平面に対する投影長が大きくなり、下方の螺旋案内板付き短管４に対して上方の螺旋案内板付き短管３を接続するに際して、それらの螺旋案内板４３，３３の傾斜面４３１，３３１を大きな重なり代の範囲で落とし込むことができるため、施工性は向上するものとなる。
【００３５】
このため、下水の流量等に基づいて設計される螺旋案内板の厚みやリード角等を考慮して切断角度を決定すればよい。
【００３６】
なお、前述した実施形態においては、中間下方の螺旋案内板付き短管４に中間上部の螺旋案内板付き短管３を配置する場合について説明したが、中間部を構成する螺旋案内板付き短管の本数が増加しても同様に対応することができる他、中間部に限らず、上下に螺旋案内板付き短管を接続する場合にも同様に適用することができる。
【符号の説明】
【００３７】
１  縦管
２，３，４，５  短管
２１，３１，４１，５１  短管本体
２２，３２  芯筒
３３，４３，５３  螺旋案内板
３３１，４３１  傾斜面
【図１】
2014145227.tif 000003
【図２】
2014145227.tif 000004
【図３】
2014145227.tif 000005